(57)【要約】【課題】  ドキュメント画像を表示保持した電子ペーパーＥＰをマルチトレイ装置５０に投入するユーザの作法に対応して、ドキュメント画像の元となるドキュメントデータにトレイに設定した処理を施すようにして、ユーザが直感的に理解し易い容易な操作態様でドキュメントデータを処理することができる作業環境を実現する。【解決手段】  表示部２（１２）にドキュメント画像を表示保持するとともにメモリ６（１６）に当該ドキュメントＩＤを保持した電子ペーパーＥＰをマルチトレイ装置５０のいずれかのトレイに投入すると、読み取り手段５３がドキュメントＩＤを読み取って通信手段５４がトレイＩＤと共にサーバ６０に送信する。サーバ６０がドキュメントＤＢ６３からドキュメントＩＤに該当するドキュメントデータを検索して削除等のトレイ毎に予め設定された処理を行う。【選択図】  図７
2005327160.tif 000002
【特許請求の範囲】
【請求項１】
複数のトレイを備えたマルチトレイ装置と、当該マルチトレイ装置に接続されて各トレイ毎に予め設定された処理をドキュメントデータに施す情報処理装置とを備えた情報処理システムであって、
前記マルチトレイ装置は、トレイに投入された表示記録媒体から当該表示記録媒体が表示保持するドキュメントを特定する識別情報を取得する読み取り手段と、前記読み取った識別情報を前記表示記録媒体が投入されたトレイに対応付けて前記情報処理装置へ送信する送信手段と、を備え、
前記情報処理装置は、表示記録媒体に表示保持されたドキュメントに対応するドキュメントデータを記憶するドキュメント記憶手段から前記マルチトレイ装置より入力された前記識別情報に基づいて該当するドキュメントデータを特定するドキュメント管理手段と、前記特定されたドキュメントデータに対して前記表示記録媒体が投入されたトレイに予め設定された処理を施すデータ処理手段と、を備えたことを特徴とするドキュメント処理システム。
【請求項２】
設定されるデータ処理の種類が変更されることにより実質的に複数種類のトレイを備えたマルチトレイ装置と、当該マルチトレイ装置に接続されてトレイに設定された処理をドキュメントデータに施す情報処理装置とを備えた情報処理システムであって、
前記マルチトレイ装置は、トレイに対するデータ処理の種類の選択入力を受け付ける入力手段と、前記選択入力を前記情報処理装置に通知する処理変更手段と、トレイに投入された表示記録媒体から当該表示記録媒体が表示保持するドキュメントを特定する識別情報を取得する読み取り手段と、前記読み取った識別情報を前記情報処理装置へ送信する送信手段と、を備え、
前記情報処理装置は、表示記録媒体に表示保持されたドキュメントに対応するドキュメントデータを記憶するドキュメント記憶手段から前記マルチトレイ装置より入力された前記識別情報に基づいて該当するドキュメントデータを特定するドキュメント管理手段と、前記特定されたドキュメントデータに対して前記マルチトレイ装置から通知された処理を施すデータ処理手段と、を備えたことを特徴とするドキュメント処理システム。
【請求項３】
請求項１又は請求項２に記載のドキュメント処理システムにおいて、
前記マルチトレイ装置は、消去処理が設定されたトレイを有し、
前記データ処理手段は、前記消去用トレイに投入された表示記録媒体から特定されたドキュメントデータに対して消去処理を施すことを特徴とするドキュメント処理システム。
【請求項４】
請求項１又は請求項２に記載のドキュメント処理システムにおいて、
前記マルチトレイ装置は、ファイリング処理が設定されたトレイを有し、
前記データ処理手段は、前記ファイリング用トレイに投入された表示記録媒体から特定されたドキュメントデータに対してファイリング処理を施すことを特徴とするドキュメント処理システム。
【請求項５】
請求項１又は請求項２に記載のドキュメント処理システムにおいて、
前記マルチトレイ装置は、承認又は確認処理が設定されたトレイを有し、
前記データ処理手段は、前記承認又は確認用トレイに投入された表示記録媒体から特定されたドキュメントデータに対して承認又は確認マークの付与処理を施すことを特徴とするドキュメント処理システム。
【請求項６】
請求項１又は請求項２に記載のドキュメント処理システムにおいて、
前記マルチトレイ装置は、プリント処理が設定されたトレイを有し、
前記データ処理手段は、前記プリント用トレイに投入された表示記録媒体から特定されたドキュメントデータを用いてプリンタ装置によりドキュメントのプリント処理を行うことを特徴とするドキュメント処理システム。
【請求項７】
請求項１又は請求項２に記載のドキュメント処理システムにおいて、
前記マルチトレイ装置は、電子メール送信処理が設定されたトレイを有し、
前記データ処理手段は、前記電子メール送信用トレイに投入された表示記録媒体から特定されたドキュメントデータを用いて電子メールの送信処理を行うことを特徴とするドキュメント処理システム。
【請求項８】
請求項７に記載のドキュメント処理システムにおいて、
前記マルチトレイ装置は、前記読み取り手段によりトレイに投入されたアドレス記憶媒体から送信先アドレス情報を読み取り、前記送信手段により当該読み取った送信先アドレス情報を前記情報処理装置へ送信し、
前記情報処理装置は、前記ドキュメントデータを用いた電子メールを前記送信先アドレスへ送信する処理を行うことを特徴とするドキュメント処理システム。
【請求項９】
請求項７又は請求項８に記載のドキュメント処理システムにおいて、
前記マルチトレイ装置は、前記読み取り手段によりトレイに投入された付加情報記憶媒体から付加情報又は付加情報を特定する付加情報識別情報を読み取り、前記送信手段により当該読み取った付加情報又は付加情報識別情報を前記情報処理装置へ送信し、
前記情報処理装置は、前記付加情報又は前記付加情報識別情報から特定される付加情報を前記ドキュメントデータに付加した電子メールを送信処理することを特徴とするドキュメント処理システム。
【請求項１０】
請求項１乃至請求項９のいずれか１項に記載のドキュメント処理システムにおいて、
前記表示記録媒体は、ドキュメント画像を無電源状態で表示保持する表示部と、前記識別情報を電子データとして保持するメモリと、当該識別情報を前記読み取り手段が受信可能に送信する無線通信手段と、を有しており、
前記表示記録媒体と前記情報読み取り手段との間で無線通信により前記識別情報が送受信されることを特徴とするドキュメント処理システム。
【請求項１１】
ドキュメント画像を表示保持する表示記録媒体が投入されるトレイを複数備え、当該トレイ毎に予め設定された処理を前記ドキュメント画像に対応するドキュメントデータに対して施す情報処理装置に接続されるマルチトレイ装置であって、
前記表示記録媒体は、ドキュメント画像を無電源状態で表示保持する表示部と、表示部に表示保持するドキュメントを特定するための識別情報を電子データとして保持するメモリと、当該識別情報を無線出力する無線通信手段とを有しており、
マルチトレイ装置は、トレイに投入された表示記録媒体から前記識別情報を無線受信する読み取り手段と、前記読み取った識別情報を前記表示記録媒体が投入されたトレイに対応付けて前記情報処理装置へ送信する送信手段と、を有していることを特徴とするマルチトレイ装置。
【請求項１２】
ドキュメント画像を表示保持する表示記録媒体が投入されるトレイを備え、当該トレイに変更可能に設定された処理を前記ドキュメント画像に対応するドキュメントデータに対して施す情報処理装置に接続されるマルチトレイ装置であって、
前記表示記録媒体は、ドキュメント画像を無電源状態で表示保持する表示部と、表示部に表示保持するドキュメントを特定するための識別情報を電子データとして保持するメモリと、当該識別情報を無線出力する無線通信手段とを有しており、
マルチトレイ装置は、トレイに対するデータ処理の種類の選択入力を受け付ける入力手段と、前記選択入力を前記情報処理装置に通知する処理変更手段と、トレイに投入された表示記録媒体から当該表示記録媒体が表示保持するドキュメントを特定する識別情報を取得する読み取り手段と、前記読み取った識別情報を前記情報処理装置へ送信する送信手段と、を有し、異なる種類のデータ処理が設定される実質的に複数種類のトレイを備えていることを特徴とするマルチトレイ装置。
【発明の詳細な説明】
【技術分野】
【０００１】
本発明は、無電源状態でドキュメント画像を表示保持する表示記録媒体と情報処理装置側に記憶されているドキュメントデータとを関連付けるとともに、当該ドキュメントデータの処理を行うためにユーザが表示記録媒体を投入するマルチトレイ装置の各トレイと当該処理の内容とを関連付けることにより、当該表示記録媒体がマルチトレイ装置に投入されたことに応じて、対応するドキュメントデータに対してプリント出力等の処理を施す技術に関し、特に、ドキュメントを特定するための識別情報等を電子データとして記憶するメモリ機能、メモリに記憶した識別情報データを無線送信する無線通信機能、光書き込み或いは電気的書き込みされたドキュメント画像を無電源保持する表示部機能を備えた電子ペーパーを表示記録媒体として用いて好適な技術に関する。
【背景技術】
【０００２】
文書等のドキュメントはパーソナルコンピュータの文書処理機能により電子データ形式で作成され、プリンタ装置によりドキュメント電子データに基づくドキュメント画像を用紙に印刷してドキュメント内容の閲覧等に供されている。また、昨今のネットワーク環境の整備により、ドキュメントとしてインターネット上で提供されるコンテンツを用紙に印刷して閲覧することも行われている。
【０００３】
このような電子データ化されているドキュメントについて、近年では、紙媒体である用紙にとって代わることが可能なドキュメント閲覧のための媒体として、用紙の如く柔軟な薄型でドキュメント画像を表示部に無電源状態で表示保持することができる電子ペーパーが開発されている。このような電子ペーパーによると、表示部が表示保持するドキュメント画像を書き換えて繰り返し利用することを可能ならしめ、また、当該ドキュメント画像に係る種々なデータをメモリに保持して外部と送受信することも可能ならしめる他、例えば、ドキュメント画像を表示保持した電子ペーパーを、机の上に複数並べて閲覧したりする事で、ドキュメントの検索性や比較しやすさが向上し、手に持って閲覧したり、複数のユーザ間で回覧にて閲覧したり、重ねたり束ねたり他人に手渡ししたりといった人間の日常的な環境における自然な行動の中でストレスなく電子データで構成されたドキュメントを閲覧利用することを可能ならしめることができる。特に、複数のドキュメントを取り敢えず媒体に印刷（表示保持）して一覧できるようにし、これによって、必要なドキュメントを容易に選択できるようにして作業の効率を高めるといった作業環境を実現しようとする場合、紙媒体を用いた場合には不要なドキュメントについては媒体の無駄使いが生じてしまうが、電子ペーペーは表示保持するドキュメントを書き換えできるので、媒体資源の浪費を生ずることなく効率的な作業環境を実現することができる。
【０００４】
電子ペーパーは、例えば、無電源状態でドキュメント画像を表示保持する表示部を有した装置であり、その表示部へのドキュメント画像の書き込み形式で大別すると、電子データに基づいて自己でドキュメント画像を表示部に書き込む機能を有する自己書き込み型電子ペーパーと、投影されたドキュメント画像を表示部に保持する光書き込み型電子ペーパーとがある。
このような電子ペーパーは、用紙と異なって表示部に表示保持したドキュメント画像を消去したり上書きすることが可能であり、表示保持する情報を更新したり、繰り返し使用することができるので紙資源の節約等の観点からも利用促進が望まれている。
【発明の開示】
【発明が解決しようとする課題】
【０００５】
電子ペーパーのような表示記録媒体にドキュメントデータに基づいてドキュメント画像を表示保持させることで、ドキュメント内容が閲覧し易くなり、また、当該ドキュメントを持ち運ぶ等の取り扱い性が向上する。
しかしながら、ドキュメントデータは電子データであるのでコンピュータやプリンタ装置等の情報処理装置で種々な処理を容易に施すことができるにもかかわらず、電子ペーパーにに表示保持されたドキュメント画像は元となるドキュメントデータと関連性が切り離されたものとなってしまうため、ドキュメント画像を閲覧したユーザが当該ドキュメントに情報処理を施そうとしても容易ではなかった。
【０００６】
例えば、ドキュメント画像を閲覧したユーザが当該ドキュメントを更に別の媒体にプリントしようとする場合には、パーソナルコンピュータ等の外部機器のメモリに記憶された対応するドキュメントデータを探し出してプリント出力操作をしなければならなかった。
このように閲覧したドキュメントの元となるドキュメントデータをメモリから探し出して処理操作をしなければならない事情はドキュメントの電子メール送信、ドキュメントデータのファイリング、ドキュメントデータへの閲覧済み等のマーキング付与、ドキュメントデータの消去等といった処理を施そうといった場合でも同様であり、電子ペーパー等の表示記録媒体を用いたドキュメントの閲覧環境とドキュメントデータの情報処理操作とが乖離した状況となっており、表示記録媒体に表示保持されたドキュメントを処理することが容易ではないという課題があった。
【０００７】
本発明は、上記従来の事情に鑑みなされたもので、電子ペーパーに代表される表示部と記憶部とを有する表示記録媒体を用いたドキュメント画像の閲覧環境において、表示記録媒体に対するユーザの作法に対応してドキュメント画像の元となるドキュメントデータに所定の出力処理を施すようにして、ユーザが直感的に理解し易い容易な操作態様でドキュメントデータの利用を実現することを目的としている。
【課題を解決するための手段】
【０００８】
本発明では、表示記録媒体は、ドキュメント画像を無電源状態で表示保持する表示部と、当該表示保持されたドキュメントを特定するために用いる識別情報を保持するメモリ等の記憶部とを有しており、表示記録媒体に対するユーザの作法に基づいて、当該表示記録媒体に表示保持されているドキュメント画像に対応するドキュメントデータに情報処理装置側で所定の処理を施す。
【０００９】
上記識別情報としては、例えば、ドキュメントデータに付与されたドキュメントＩＤやネットワーク上に記憶されたドキュメントデータを特定するＵＲＬ等を用いることができる他、表示記録媒体に付与された媒体ＩＤや表示記録媒体の使用者を特定するユーザＩＤを用いることもできる。なお、媒体ＩＤやユーザＩＤを用いる場合には、媒体ＩＤやユーザＩＤとドキュメントデータとを対応付けるテーブルを作成すればよく、媒体ＩＤやユーザＩＤにより間接的にドキュメントデータを特定すればよい。
また、識別情報は記憶部に電子データの形式で記憶されて必要に応じて電子的に読み出される他、記憶部を表示記録媒体の表面に印刷或いは貼付されるバーコードとして、バーコード化された識別情報を光学的に読み取る態様とすることもできる。
【００１０】
本発明は、複数のトレイを備えたマルチトレイ装置と、当該マルチトレイ装置に接続されて各トレイ毎に予め設定された処理をドキュメントデータに施す情報処理装置とを備えた情報処理システムとして実施することができる。
そして、マルチトレイ装置は、トレイに投入された表示記録媒体から当該表示記録媒体が表示保持するドキュメントを特定する識別情報を取得する読み取り手段と、読み取った識別情報を表示記録媒体が投入されたトレイに対応付けて情報処理装置へ送信する送信手段とを備えている。また、情報処理装置は、表示記録媒体に表示保持されたドキュメントに対応するドキュメントデータを記憶するドキュメント記憶手段から前記マルチトレイ装置より入力された前記識別情報に基づいて該当するドキュメントデータを特定するドキュメント管理手段と、特定されたドキュメントデータに対して前記表示記録媒体が投入されたトレイに予め設定された処理を施すデータ処理手段と、を備えている。
【００１１】
したがって、本発明では、例えば、表示記録媒体を収容する複数のトレイを備えたマルチトレイ装置にユーザがドキュメント画像を表示保持する表示記録媒体を投入すると、読み取り手段が当該表示記録媒体の記憶部から前記識別情報を取得して、送信手段が当該投入されたトレイに対応付けて識別情報を情報処理装置へ送信する。情報処理装置では、ドキュメント管理手段が、当該取得された識別情報に基づいて、ドキュメント記憶手段に記憶された該当するドキュメントデータを検索して特定し、データ処理手段が当該ドキュメントデータに前記投入されたトレイに予め対応付け設定されているプリント処理やファイリング処理等といった所定の処理を施す。
ここで、ドキュメント記憶手段は、本発明を構成するドキュメント処理装置に専有されるドキュメントデータベースである他、ネットワーク上のファイルサーバであってもよくい。そして、ドキュメント記憶手段は各ドキュメントデータを識別可能に記憶していればよく、ドキュメントＩＤ、媒体ＩＤ、ユーザＩＤに基づいて各ドキュメントデータが対応付けられればよい。
【００１２】
また、本発明に係るマルチトレイ装置は、データ処理の種類が設定されたトレイを物理的に複数有する他、データ処理の種類が設定されたトレイを実質的に複数有する態様であってもよい。
具体的には、本発明に係るマルチトレイ装置は、トレイに対するデータ処理の種類の選択入力を受け付ける入力手段と、選択入力を情報処理装置に通知する処理変更手段と、トレイに投入された表示記録媒体から当該表示記録媒体が表示保持するドキュメントを特定する識別情報を取得する読み取り手段と、読み取った識別情報を情報処理装置へ送信する送信手段と、を有し、異なる種類のデータ処理が設定される実質的に複数種類のトレイを備えた態様でもよく、情報処理装置がマルチトレイ装置から通知された選択入力（すなわち、トレイに設定されたデータ処理の種類）に応じて、ドキュメントデータに対する処理を実行するようにしてもよい。
【００１３】
本発明では、より具体的には下記のような構成により、ドキュメントデータにプリントや電子メール送信等といった投入トレイ毎に設定された処理を行う。
例えば、マルチトレイ装置は消去処理が設定されたトレイを有したものとして、情報処理装置のデータ処理手段は、消去用トレイに投入された表示記録媒体から特定されたドキュメントデータに対して消去処理を施す。
また、例えば、マルチトレイ装置はファイリング処理が設定されたトレイを有したものとして、情報処理装置のデータ処理手段は、ファイリング用トレイに投入された表示記録媒体から特定されたドキュメントデータに対してメモリ上のファイルに移動させるファイリング処理を施す。
【００１４】
また、例えば、マルチトレイ装置は承認又は確認処理が設定されたトレイを有したものとして、情報処理装置のデータ処理手段は、承認又は確認用トレイに投入された表示記録媒体から特定されたドキュメントデータに対して承認又は確認マークの付与処理を施す。
また、例えば、マルチトレイ装置はプリント処理が設定されたトレイを有したものとして、情報処理装置のデータ処理手段は、プリント用トレイに投入された表示記録媒体から特定されたドキュメントデータを用いてドキュメントのプリント処理を行う。
また、例えば、マルチトレイ装置は電子メール送信処理が設定されたトレイを有したものとして、情報処理装置のデータ処理手段は、電子メール送信用トレイに投入された表示記録媒体から特定されたドキュメントデータを用いて電子メールの送信処理を行う。
【００１５】
ここで、本発明は、電子ペーパーを表示記録媒体として用いて実現するのが好ましく、電子ペーパーは、記憶部として識別情報を電子データとして保持するメモリを有するとともに当該識別情報をマルチトレイ装置の読み取り手段が受信可能に送信する無線通信手段を有したものとし、電子ペーパーと読み取り手段との間で無線通信により識別情報が送受信されるようにする。
【発明の効果】
【００１６】
本発明によると、ドキュメント画像を表示保持した表示記録媒体に対するユーザのトレイへの投入作法に対応して、当該ドキュメント画像の元となるドキュメントデータをプリント出力や電子メール送信する等の情報処理を施すようにしたため、ユーザが直感的に理解し易い容易な操作態様でドキュメントデータを処理することができ、表示記録媒体のドキュメント画像とドキュメントデータとを関連付けて処理する作業環境を実現することができる。
【発明を実施するための最良の形態】
【００１７】
本発明を一実施例に基づいて具体的に説明する。
まず、本発明に利用される表示記録媒体の一例について、図２１〜図２８を参照して説明する。
図示の表示記録媒体は電子ペーパーと称せられる媒体であり、ドキュメント画像の記録方式に違いにより大別して、図２１〜図２４に示す光書き込み型と、図２５〜図２７に示す自己書き込み型とがあり、いずれの形式にあってもいわゆる電子ペーパーと称せられるように紙の様に薄型の装置である。
【００１８】
図２１（ａ）には光書き込み型電子ペーパーＥＰを正面視して示し、同図（ｂ）には当該光書き込み型電子ペーパーＥＰを側面視で示してある。なお、図示の電子ペーパーＥＰはドキュメント画像を表示保持する表示部２と電子データの処理を司る処理部３とを有しており、同図（ａ）には処理部３に内蔵されている諸機能部も表してある。
光書き込み型電子ペーパーＥＰは、例えばＡ４版の用紙のような大きさのフレキシブルな薄型であり、大部分の面積を占める表示部２の一片に処理部３が設けられている。なお、表示部２の大きさは任意であり、タグやカードとして用いることもでき、用途に応じた大きさのものとされる。
【００１９】
処理部３には、後述するように表示部２を駆動する電圧を印加するための電極４、外部と無線通信するための無線部５、電子データを読み書き自在に保持するメモリ６、無線部５やメモリ６の駆動電力を供給するバッテリ７が設けられている。
光書き込み型電子ペーパーＥＰは、外部の無線通信機能を有する装置（後述するマルチトレイ装置）と無線部５で無線通信することにより電子データを送受信し、また、これら電子データをメモリ６に保持することができる。
【００２０】
例えば、光書き込み型電子ペーパーＥＰは、図２２に示すように液晶パネル４０にドキュメント画像を表示し、電極４に外部の電源から電圧を印加しながら光書き込み型電子ペーパーＥＰを液晶パネル４０に重ねて光を照射することにより、液晶パネル４０に表示させたドキュメント画像を表示部２に転写して表示保持させることができる。
なお、電極４に電圧を印加しながら光書き込み型電子ペーパーＥＰに原稿等の文書紙を重ねて光を照射することによっても、文書の記載内容画像を表示部２に転写して表示保持させることもでき、要は、光書き込み型電子ペーパーＥＰは電極４に電圧を印加することで投影された画像情報を表示部２に転写し、電極４に印加した電圧を除去した後も当該画像情報を表示状態で保持し続ける機能を有している。
【００２１】
光書き込み型電子ペーパーＥＰは、表示部２の断面構造を表す図２４に示すように、複写機に利用されている有機光導電性材料の層（有機光導電層）２０と液晶表示材料の層（マイクロカプセル化したコレステリック液晶層）２１とを組み合わせ、これら層を表裏一対の透明電極２２で挟み、この積層体を表裏一対の透明な基材フィルム２３で挟んだ構造となっている。なお、この構成では、コレステリック液晶層２１が光を反射する白表示と、光が液晶層２１を透過しコレステリック液晶層２１と有機光導電層２０との間に設けられた黒色層２４で吸収される黒表示のモノクロ画像表示が可能である。さらにコレステリック液晶には螺旋ピッチに応じたカラー光を干渉反射するという特性があるので、コレステリック液晶層２１を螺旋ピッチの異なる液晶を積層した構成にすることにより、簡単な構造でカラー表示を実現することも可能である。
【００２２】
そして、光書き込み型電子ペーパーＥＰは、表示部２の動作原理を表す図２３に示すように、例えば画像書込み用の調光素子パネル（発光パネル）２５に転写する画像を表示して表示部２に投影し、電極４に電圧を印加すると、光の強弱を瞬時に反射濃度に変換して当該投影画像を保持する。そして、電極４に消去電圧を印加することにより表示部２に保持された画像情報を消去することができ、光書き込み型電子ペーパーＥＰは書き込みと消去を繰り返して幾度も再使用することができる。なお、光書き込み型電子ペーパーＥＰはこのような消去処理を行わずに、上記のように電極４に電圧を印加して新たな画像を投影することにより、表示部２に保持されている画像情報を上書きすることもでき、このような上書き処理によっても幾度も再使用することができる。
【００２３】
したがって、光書き込み型電子ペーパーＥＰは、紙のように薄く柔軟である性質に加えて、画像の投影により転写された画像情報を無電源保持する性質があるので、あたかもプリンタや複写機に使用する紙の如く用いることができ、しかも、繰り返し再使用することができる表示記録媒体である。
更に、本例の光書き込み型電子ペーパーＥＰは、無線通信機能及びメモリ機能を備えているので、後述するように、メモリ６に記録される電子データ（ドキュメントを識別するための識別情報等）を非接触で送受信することができる。
【００２４】
図２５（ａ）には自己書き込み型電子ペーパーＥＰを正面視して示し、同図（ｂ）には当該自己書き込み型電子ペーパーＥＰを側面視で示してある。図示の電子ペーパーＥＰは情報画像を表示保持する表示部１２と電子データの処理を司る処理部１３とを有しており、同図（ａ）には処理部１３に内蔵されている諸機能部も表してある。
自己書き込み型電子ペーパーＥＰは、光書き込み型電子ペーパーＥＰと同様に、例えばＡ４版の用紙のような大きさのフレキシブルな薄型表示装置であり、大部分の面積を占める表示部１２の一片に処理部１３が設けられている。なお、光書き込み型電子ペーパーＥＰと同様に、表示部１２の大きさは用途に応じた大きさのものとされる。
【００２５】
処理部１３には、表示部１２を駆動するドライバ１４、外部と無線通信するための無線部１５、電子データを読み書き自在に保持するメモリ１６、ドライバ１４や無線部１５やメモリ１６の駆動電力を供給するバッテリ１７、ドライバ１４による画像表示に対する操作入力を受け付けるボタン等の操作部１８が設けられている。
自己書き込み型電子ペーパーＥＰは、外部の無線通信機能を有する装置（後述するマルチトレイ装置）と無線部１５で無線通信するこにより電子データを送受信し、また、これら電子データをメモリ１６に保持することができる。
【００２６】
更に、自己書き込み型電子ペーパーＥＰは、光書き込み型電子ペーパーＥＰとは異なって、メモリ１６に保持したドキュメントデータに基づいてドライバ１４が表示部１２にドキュメント画像を表示し、また、操作部１８からの操作入力に応じて表示するドキュメント画像を切り換え変更することもでき、ドライバ１４の駆動電力を除去しても表示部１２にドキュメント画像を表示状態で保持し続ける機能を有している。
自己書き込み型電子ペーパーＥＰは、表示部１２の断面構造を表す図２７に示すように、複写機にトナーとして利用されている微細な着色粒子（図示の例では、白色粒子３１と黒色粒子３２）を少なくとも表面側が透明な表裏一対の電極３３間に封入し、これを少なくとも表面側が透明な表裏一対のフィルム基板３４で挟んだ構造となっている。着色粒子３１、３２が自由に移動できるように電極層３３間は空気層となっており、また、マトリックス状の電極層３３には着色粒子３１、３２との接触を防止する絶縁層３５が設けられている。なお、カラーフィルターを用いることにより、簡単な構造でカラー表示を実現することも可能である。
【００２７】
そして、自己書き込み型電子ペーパーＥＰは、表示部１２の動作原理を表す図２６に示すように、電極３３に電圧を印加していない状態（但し、電極３３は前回の駆動時の極性に帯電している）では、負（マイナス）に帯電した白色粒子３１は裏面側に溜まる一方、正（プラス）に帯電した黒色粒子３２は表面側に溜まり、表示部１２を表面側から目視すると表示部１２は黒色な状態となる。そして、ドキュメントデータに基づいてドライバ１４が動作して表示する画像情報に応じたマトリックスの所要部の電極極性を反転させると、白色粒子３１と黒色粒子３２との位置関係が入れ替わって、表示部１２に白色粒子３１と黒色粒子３２とのコントラストによるドキュメント画像が表示される。なお、異なるドキュメントデータに基づいてドライバ１４を動作させることにより、白色粒子３１と黒色粒子３２とのコントラストにより表示部１２に表示されるドキュメント画像を切り換えることができ、幾度も再使用することができる。
【００２８】
したがって、自己書き込み型電子ペーパーＥＰは、紙のように薄く柔軟である性質に加えて、表示部１２に表示した画像情報を無電源保持する性質があるので、あたかも紙の如く用いることができる表示記録媒体である。
更に、本例の自己書き込み型電子ペーパーＥＰは、無線通信機能及びメモリ機能を備えているので、後述するように、メモリ１６に記録される電子データ（ドキュメントを識別するための識別情報等）を非接触で送受信することができる。
【００２９】
ここで、光書き込み型や自己書き込み型等の形式を問わず、図２８に示すように、無線部５（１５）やメモリ６（１６）等といった無線通信機能やメモリ機能部を電子ペーパーの表示部２（１２）とは別の無線ＩＣタグ（ＲＦＩＤ）４１として構成し、当該無線ＩＣタグ４１を電子ペーパーＥＰに取り付けることにより上記と同様な構成とするようにしてもよい。なお、無線ＩＣタグとした場合等において、バッテリはタグリーダーからの起電力を保持するコンデンサとするようにしてもよい。
また、本発明に係る表示記録媒体の記録部は、表示部２（１２）に表示保持しているドキュメントを特定するために用いる識別情報を保持することが主要な機能であるため、ＲＦＩＤ４１に代えて、当該識別情報をコード化したバーコード４２を電子ペーパーＥＰに印刷或いは貼付し、後述するマルチトレイ装置がバーコード４２を光学的に読み取って、識別情報を取得するようにしてもよい。
【００３０】
また、本発明は、自己書き込み型電子ペーパーや光書き込み型電子ペーパーといった形式以外の電子ペーパーも勿論適用することができ、例えば、外部の書き換え装置に装填して表示部に自己書き込み型のように電子的にドキュメント画像を書き込む形式であってもよい。すなわち、上記の自己書き込み型電子ペーパーは外部の画像書き込み装置を要しない形式の電子ペーパーの一例であり、光書き込み型電子ペーパーは外部の画像書き込み装置を要する形式の電子ペーパーの一例であるとも言える。
また、電子ペーパーＥＰの表示部２（１２）としては、強誘電液晶に代表されるメモリー性のある液晶や、帯電された粒子を移動させて表示を切り替える電気泳動方式、帯電された粒子を回転させて表示を切り替える粒子回転方式、磁気により粒子を移動させて表示を切り替える磁気泳動方式、小型バッテリー駆動の薄型の液晶やＥＬ素子を用いてもよい。
【００３１】
図１には、本発明の一例に係るドキュメント処理システムの構成を示してある。
本発明の主要装置であるマルチトレイ装置５０と、ドキュメントデータを処理する情報処理装置とネットワーク等により接続されており、本例では、情報処理装置はサーバ６０を中心としてパーソナルコンピュータ６１及びプリンタ６２を接続した構成となっており、サーバ６０の制御下でマルチトレイ装置５０の各トレイに対応してパーソナルコンピュータ６１やプリンタ６２による処理がなされる。
なお、このようにサーバを用いずに、マルチトレイ装置５０の各トレイ毎にプリンタやパーソナルコンピュータを接続して所定の処理を実行するようにしてもよい。
【００３２】
本例のマルチトレイ装置５０は、図２及び図３に詳細な構成を示すように、上段から３つの投入口５１ａ、５１ｂ、５１ｃと１つの排出口５１ｄを有した縦型に複数のトレイを重ねた形式であり、マルチトレイ装置５０の内部には、棚板ともなる送りベルト搬送装置５２が投入口５１ａ、５１ｂ、５１ｃ、５１ｄに対応してそれぞれ設けられている。
また、投入口５１ａ、５１ｂ、５１ｃの縁部には読み取り手段となる無線通信手段５３がそれぞれ設けられており、投入口５１ａ、５１ｂ、５１ｃから内部に投入される電子ペーパーＥＰの無線部５（１５）と無線通信して、メモリ６（１６）に記憶されているドキュメントＩＤ等の識別情報を無線通信により取得する。また、マルチトレイ装置５０には、電子ペーパーが投入された投入口を識別できる態様で、無線通信手段５３で取得した識別情報をサーバ６０へ送信する通信手段５４が設けられている。
【００３３】
したがって、ユーザが電子ペーパーＥＰをマルチトレイ装置５０にいずれかの投入口５１ａ、５１ｂ、５１ｃから投入すると、当該電子ペーパーＥＰからメモリ６（１６）に記憶されている識別情報が無線通信により読み取られて、通信手段５４が当該投入したトレイ（投入口）を識別できる態様で電子ペーパーから取得した識別情報をサーバ６０に送信する。
また、投入口５１ａ、５１ｂ、５１ｃからマルチトレイ装置５０に投入された電子ペーパーＥＰは、無線通信手段５３が識別情報を受信することに応じて起動される送りベルト搬送装置５２により送られて、装置５０の内部に設けられた空所５５から最下段の送りベルト搬送装置５２上に落下し、当該最下段の送りベルト搬送装置５２により送られて排出口５１ｄから装置の外部へ排出される。
【００３４】
ここで、各投入口５１ａ、５１ｂ、５１ｃを識別する方法としては、マルチトレイ装置５０とサーバ６０とを接続するケーブルを各トレイ毎に違えて、通信手段５４が識別情報を取得した投入口に対応するケーブルで識別情報をサーバ６０２送信するようにしてもよいが、図５（ａ）に示すように、各無線通信手段５３にＩＤ（トレイＩＤ）を付与して各トレイを識別しておき、通信手段５４が無線通信手段５３で取得された識別情報（例えば、ドキュメントＩＤ）を当該トレイＩＤを付加してサーバ６０へ送信するようにしてもよい。
【００３５】
本例では、後述するように、本例においてドキュメントデータの主な処理制御を司るサーバ６０のドキュメントデータ管理手段６０ａには、図４に示すように、トレイＩＤとドキュメントデータに対して行う処理内容とを対応付けたテーブルが予め設定されており、上記のようにマルチトレイ装置５０から識別情報と共にとトレイＩＤを受信したサーバ６０は、当該テーブルを参照して当該識別情報により特定されるドキュメントデータに対してテーブル設定された処理を行う。
すなわち、マルチトレイ装置５０に備えられた電子ペーパー投入用の複数のトレイにサーバ６０側でのドキュメントデータ処理がそれぞれ対応付けられている。なお、図示は省略しているが、マルチトレイ装置５０の各トレイ部には設定された処理内容を表示するラベル等を設けて、トレイと処理内容との対応をユーザが目視で確認できるようにするのが好ましい。
【００３６】
ここで、詳細は後述するが、本発明では、図６に示すように、電子ペーパーと同様な構成を有するカードＣＡを、ドキュメント画像を表示保持する電子ペーパーＥＰと共にマルチトレイ装置５０に投入することで、当該カードＣＡに記録されている情報により、当該表示保持されているドキュメントに係るドキュメントデータの電子メールの宛先アドレス等を指定することができる。
このような態様とする場合には、例えば、無線通信手段５３でカードＣＡに記録されたアドレス等の情報も読み取り、図５（ｂ）に示すように、トレイＩＤ及び識別情報（ドキュメントＩＤ）と共に当該読み取り情報を通信手段５４がサーバ６０へ送信するようにする。
【００３７】
次に、本例のドキュメント処理システムを更に詳細に説明する。
図７には、上記のような電子ペーパーＥＰを用いた本発明に係るドキュメント処理システムの一例を示してある。
なお、図７に示す例ではドキュメントＩＤを識別情報として用いており、また、ドキュメントデータの消去処理を例にとって説明するため、マルチトレイ装置５０は他の処理が設定されたトレイは省略して消去処理が設定されたトレイ部分だけを示してある。
【００３８】
電子ペーパーＥＰは種々な形式のものを使用することができ、表示部にドキュメント画像を無電源状態で表示保持し、当該ドキュメントを特定するための識別情報を保持し得るものであればよい。識別情報としては、各ドキュメントを識別するドキュメントＩＤ、各電子ペーパーＥＰを識別するデバイスＩＤ（媒体ＩＤ）、電子ペーパーの使用者を識別するユーザＩＤ等が少なくとも１種類用いられるが、いずれの種類の識別情報を用いるかは、システム構成においてドキュメントデータを特定するための関連付け方法によって選択される。
【００３９】
ドキュメント処理システムは、マルチトレイ装置５０、サーバ６２、プリンタ装置６２を備えており、本例のサーバ６２はドキュメントデータを格納保持するドキュメントデータベース６３を有している。
プリンタ装置６２は、ドキュメントデータに基づいて、電子ペーパーＥＰの表示部に光書き込み方式或いは自己書き込み方式によりドキュメント画像を書き込む装置であり、このような画像書き込み機能に加えて、電子ペーパーＥＰへ当該ドキュメントのＩＤデータ等を無線送信して、当該電子ペーパーＥＰのメモリ６（１６）に格納させる無線通信手段６２ａを有している。なお、電子ペーパーＥＰへデータを入力或いは出力する手段は電子ペーパーのデータ入出力形式に応じて種々設定され、例えば、電子ペーパーＥＰがデータ入力端子を備える場合には、無線通信手段６２ａに代えて、電子ペーパーのデータ入力端子に接続するデータ出力端子を有して端子接続によりドキュメントＩＤ等をメモリ６（１６）に送信する接触型通信手段がプリンタ装置６２に備えられる。
【００４０】
プリンタ装置装置６２は、例えば図８に示すような、サーバ６０によりドキュメントデータベース６３から供給されるドキュメントデータに基づいて、ドキュメント画像を電子ペーパーＥＰの表示部２（１２）に表示記録させて排出するプリンタ装置、或いは、ドキュメント画像を紙媒体の用紙に印刷で表示記録させて排出するプリンタ装置で構成される。
なお、図８に示すプリンタ装置６２は、サーバ６０からとは別に、図外のコンピュータ等のデータ源から入力されたドキュメントデータに基づいて、ドキュメント画像を電子ペーパーＥＰの表示部２（１２）に表示記録させて排出する処理も行い、当該外部から入力されたドキュメントデータをドキュメントＤＢ６３に格納させるためにサーバ６０に出力する処理も行う。
【００４１】
マルチトレイ装置５０は、消去用のトレイに投入された電子ペーパーＥＰと読み取り手段５３が無線通信してメモリ６（１６）に保持されている識別情報（ドキュメントＩＤ）を取得し、通信手段５４が当該ドキュメントＩＤをトレイＩＤとともにサーバ６０へ出力する。したがって、ユーザがドキュメント画像を表示部に表示保持した電子ペーパーＥＰを消去用トレイに投入すると、当該電子ペーパーＥＰから当該ドキュメントのＩＤが取得されて当該トレイを識別可能にサーバ５２に入力される。
なお、電子ペーパーＥＰとデータ通信する手段は電子ペーパーのデータ入出力形式に応じて種々設定され、例えば、電子ペーパーＥＰがデータ出力端子を備える場合には、無線通信型の手段５３に代えて、電子ペーパーのデータ出力端子に接続するデータ入力端子を有して端子接続によりメモリ６（１６）に保持されたドキュメントＩＤ等を受信取得する接触型通信手段がマルチトレイ装置５０に備えられる。
【００４２】
また、マルチトレイ装置５０は、消去用トレイに投入された電子ペーパーＥＰに消去電圧を印可する或いは白紙の画像を上書きする等によって、表示部に表示保持されているドキュメント画像を消去する消去手段５６を有しており、後述するように、電子ペーパーＥＰが消去用トレイに投入されたことに応じて、当該電子ペーパーＥＰに表示保持されているドキュメント画像に該当するドキュメントデータが消去或いは関連付け解除処理されるとともに、当該電子ペーパーＥＰに表示保持されているドキュメント画像も消去される。
【００４３】
サーバ６０は、本例のシステムにおけるドキュメント処理装置として中心的な役割を果たす情報処理装置であり、マルチトレイ装置５０により取得されたドキュメントＩＤに基づいて、ドキュメントＤＢ６３に記憶された該当するドキュメントデータに消去或いは関連付け解除処理を施すドキュメントデータ管理手段６０ａと、ドキュメントを特定して外部から入力された出力指示に応じてドキュメントＤＢ６３に記憶された該当するドキュメントデータを読み出してプリンタ装置６２に供給するドキュメント出力管理手段６０ｂと、を有している。
なお、本例のドキュメント出力管理手段６０ｂは、プリンタ装置６２から入力されたドキュメントデータをドキュメントＩＤを付与してドキュメントＤＢ６３に格納する処理も行う。
【００４４】
ドキュメントＤＢ６３は、多数のドキュメントデータをそれぞれドキュメントＩＤにより識別して格納する記憶装置であり、ドキュメントデータ管理手段６０ａ及びドキュメント出力管理手段６０ｂによるドキュメントデータへのアクセスを許容する。
なお、ネットワーク上のファイルサーバをドキュメント記憶手段６３に利用するようにしてもよく、この場合には、ドキュメントデータ管理手段６０ａ及びドキュメント出力管理手段６０ｂがネットワーク通信によりファイルサーバのドキュメントデータへアクセスするようにすればよい。
【００４５】
上記構成のドキュメント処理システムでは、サーバ６０に対するドキュメントを特定した出力指示を入力すると、ドキュメント出力管理手段６０ｂが指定されたドキュメントデータ及びそのドキュメントＩＤをドキュメントＤＢ６３から読み出してプリンタ装置６２に供給する。
プリンタ装置６２では、供給されたドキュメントデータに基づくドキュメント画像を電子ペーパーＥＰの表示部２（１２）に書き込んで保持させるとともに、そのドキュメントＩＤを送信して無線部５（１５）に受信させ、メモリ６（１６）に格納させて当該電子ペーパーＥＰを排出する。
【００４６】
ここで、プリンタ装置６２に外部からドキュメントデータを入力してそのドキュメント画像を電子ペーパーＥＰに表示保持させる場合には、後述するようにプリンタ装置６２は、当該ドキュメントデータをドキュメント出力管理手段６０ｂに送ってドキュメントＩＤの付与を受け、ドキュメント出力管理手段６０ｂから提供された対応するドキュメントＩＤをメモリ６（１６）に格納させて電子ペーパーＥＰを排出する。
なお、ドキュメント出力管理手段６０ｂはプリンタ装置６２から入力されたドキュメントデータを付与したドキュメントＩＤに対応付けてドキュメントＤＢ６３に格納する。
【００４７】
上記のようにプリンタ装置６２から排出された電子ペーパーＥＰに対して、そのドキュメント画像を閲覧したユーザが当該ドキュメントは不要と判断した場合には、ユーザは当該電子ペーパーＥＰをマルチトレイ装置５０の消去用トレイに投入する。
これにより、投入された電子ペーパーＥＰに表示保持されているドキュメント画像は消去手段５６により消去され、当該ドキュメントを特定するドキュメントＩＤが読み取り手段５３で読み取られて、通信手段５４によりトレイＩＤが付加されてサーバ６０に入力される。
【００４８】
サーバ６０では、入力されたドキュメントＩＤ及びトレイＩＤに基づいて、ドキュメントデータ管理手段６０ａがドキュメントＤＢ６３を検索し、当該ドキュメントＩＤに対応付けられているドキュメントデータをドキュメントＤＢ６３から消去する。
したがって、表示部２（１２）に表示されたドキュメント画像を閲覧して不要なときには捨てるといったように、ユーザが不要な文書はゴミ箱に投入するといった行動を直感させる作法を行うことで、マルチトレイ装置５０に投入された電子ペーパーＥＰに係るドキュメント画像及びドキュメントデータを消去することができる。
【００４９】
上記の例では、電子ペーパーＥＰから取得したドキュメントＩＤに基づいて該当するドキュメントデータを消去したが、電子ペーパーＥＰのメモリ６（１６）に当該電子ペーパーを識別するデバイスＩＤ（媒体ＩＤ）や当該電子ペーパーＥＰの使用者を識別するユーザＩＤを格納させておき、マルチトレイ装置５０に投入された電子ペーパーＥＰからデバイスＩＤ（媒体ＩＤ）或いはユーザＩＤをサーバ６０が取得して該当するドキュメントデータを消去するようにしてもよい。
【００５０】
この場合には、例えば図９に示すように、サーバ６０がシステムで管理される電子ペーパーのデバイスＩＤやユーザのユーザＩＤをテーブル６０ｃ、６０ｄで管理し、例えば、プリンタ装置６２からドキュメント画像を表示保持させた電子ペーパーＥＰを出力する際に、当該電子ペーパーＥＰからプリンタ装置６２を介してデバイスＩＤ（媒体ＩＤ）やユーザＩＤをサーバ６０が取得してテーブル６０ｃ、６０ｄに記述し、電子ペーパーＥＰに表示保持させたドキュメントのデータに対して当該デバイスＩＤ（媒体ＩＤ）やユーザＩＤをポインタ等で関連付けるようにする。
【００５１】
これにより、ドキュメント画像が書き込まれてプリンタ装置６２から排出された電子ペーパーは当該電子ペーパーに記憶されたデバイスＩＤ或いはユーザＩＤによりドキュメントＤＢ６３に記憶されている対応するドキュメントデータに関連（リンク）付けられる。
したがって、上記と同様に、電子ペーパーＥＰをマルチトレイ装置５０に投入することで、当該電子ペーパーＥＰに表示保持されているドキュメントに該当するドキュメントデータが消去処理される。
【００５２】
上記の例では、ドキュメントＤＢ６３に記憶された該当するドキュメントデータを消去するようにしたが、上記のような関連付けリンクを解除することで、マルチトレイ装置５０のリンク解除用トレイに投入された電子ペーパーＥＰによって再度同じドキュメント画像を閲覧できなくなるようにして、或る意味で消去と同等な処理を施すようにしてもよい。
例えば、マルチトレイ装置５０に投入された電子ペーパーＥＰのデバイスＩＤをキーとして、図９に示すような当該デバイスＩＤとドキュメントＩＤとの関連付けリンクをサーバ６０が解除することにより、当該投入された電子ペーパーＥＰと該当するドキュメントデータとの関連が解除される。
【００５３】
これは、当該デバイスＩＤ（すなわち、電子ペーパー）をキーとしてサーバ６０にアクセスしても、ドキュメントデータに基づくドキュメント画像が同じ電子ペーパーでは再度表示されないことを意味しているが、ドキュメントデータ自体は他の電子ペーパーや他の装置で利用可能に保存される。
このような処理によっても、或るユーザが消去するつもりでマルチトレイ装置５０に投入した電子ペーパーを他のユーザが用いて、当該ドキュメント画像を閲覧してしまう事態を防止することができ、ドキュメントの機密性保持を実現することができる。
なお、デバイスＩＤに代えてユーザＩＤを用いても同様な処理を行うことができる。
【００５４】
図１０には、上記のような電子ペーパーＥＰを用いた本発明に係るドキュメント処理システムの他の一例を示してある。
本例では、ドキュメントＩＤを識別情報として用いて、ドキュメントデータをドキュメントＤＢ６３に設けられた複数のファイル６３ａ、６３ｂ、６３ｃにファイリングする処理を説明する。なお、図７に示した例と同様な部分については、同一符号を付して重複する説明は割愛する。また、マルチトレイ装置５０は、ファイリング処理に係るトレイ部分のみを図示して説明する。
【００５５】
マルチトレイ装置５０には、ファイルファイル６３ａ、６３ｂ、６３ｃに対応して複数（本例では３つ）のトレイ（Ａ〜Ｃ）が備えられており、各トレイの投入口には投入された電子ペーパーＥＰからドキュメントＩＤを取得する読み取り手段５３がそれぞれ設けられている。
また、サーバ６０のドキュメントデータ管理手段６０ａは、電子ペーパーＥＰが投入されたトレイ（Ａ〜Ｃ）に対応するファイル６３ａ〜６３ｃにドキュメントデータを記憶させる機能を有しており、本例では、ドキュメントＤＢ６３の記憶領域に記憶されているドキュメントデータを該当するファイルの記憶領域に移動させるファイリング処理を行う。
【００５６】
本例のドキュメント処理システムによれば、表示部２（１２）にドキュメント画像が表示保持され、メモリ６（１６）にドキュメントＩＤが保持された電子ペーパーＥＰをいずれかのトレイ（Ａ〜Ｃ）に投入すると、当該トレイの読み取り手段５３が投入された電子ペーパーＥＰから表示保持しているドキュメントのＩＤを取得してトレイＩＤと共に通信手段５４がドキュメントデータ管理手段６０ａに送信する。
【００５７】
サーバ６０では、入力されたトレイＩＤ及びドキュメントＩＤに基づいて、ドキュメントデータ管理手段６０ａがドキュメントＤＢ６３を検索し、ドキュメントＤＢ６３内で当該ドキュメントＩＤに該当するドキュメントデータを投入されたトレイＩＤに対応するファイルに記憶させる。例えば、電子ペーパーＥＰがトレイＡに投入されたときは対応するファイル６３ａにドキュメントＩＤに該当するドキュメントデータを記憶させ、電子ペーパーＥＰがトレイＢに投入されたときは対応するファイル６３ｂにドキュメントＩＤに該当するドキュメントデータを記憶させ、電子ペーパーＥＰがトレイＣに投入されたときは対応するファイル６３ｃにドキュメントＩＤに該当するドキュメントデータを記憶させる。
【００５８】
上記のように、物理的に分離されて設置された複数のトレイに対してドキュメントＤＢ６３の各ファイルを対応付けたため、電子ペーパーＥＰに表示保持されたドキュメントを閲覧したユーザは、いずれかのトレイに当該電子ペーパーＥＰを投入するだけで、ドキュメントデータを所望のファイルに纏める操作を行うことができる。
したがって、箱や棚に文書を纏めて整理するといった行動を直感させる作法を行うことで、マルチトレイ装置５０に投入された電子ペーパーＥＰに係るドキュメントデータをメモリ上でファイリングすることができる。
【００５９】
図１１には、上記のような電子ペーパーＥＰを用いた本発明に係るドキュメント処理システムの他の一例を示してある。
本例では、ドキュメントＩＤを識別情報として用いて、ドキュメントデータにユーザが既に閲覧したことやドキュメント内容を承認したことを示すマークを付与する処理を説明する。なお、図７に示した例と同様な部分については、同一符号を付して重複する説明は割愛する。また、マルチトレイ装置５０は、当該マーク付与処理に係るトレイ部分のみを図示して説明する。
【００６０】
本例のドキュメントＤＢ６３には、ドキュメントデータ及びドキュメントＩＤに対応付けてフラグ等の承認マークを記憶する記憶領域６３ｄが設けられており、また、サーバ６０のドキュメントデータ管理手段６０ａは、マルチトレイ装置５０の承認用トレイに投入された電子ペーパーＥＰが表示するドキュメントに該当するドキュメントデータに承認マークを付加する機能を有している。
なお、承認マーク６３ｄが付加されたドキュメントデータに基づいて、プリンタ装置６２により用紙や電子ペーパーＥＰにドキュメント画像を表示保持させて出力する場合には、例えば図１２に示すように、ドキュメント出力管理手段６０ｂが承認マーク６３ｄに基づいて承認印画像６３Ｄを生成し、ドキュメント画像とともに承認印６３Ｄを表示保持させる。
【００６１】
本例のドキュメント処理システムによれば、表示部２（１２）にドキュメント画像が表示保持され、メモリ６（１６）にドキュメントＩＤが保持された電子ペーパーＥＰをマルチトレイ装置５０の承認用トレイに投入すると、当該マルチトレイ装置５０の読み取り手段５３が投入された電子ペーパーＥＰから表示保持しているドキュメントのＩＤを取得して、通信手段５４がトレイＩＤとともにドキュメントデータ管理手段６０ａに送信する。
【００６２】
サーバ６０では、入力されたトレイＩＤ及びドキュメントＩＤに基づいて、ドキュメントデータ管理手段６０ａがドキュメントＤＢ６３を検索し、ドキュメントＤＢ６３内で当該ドキュメントＩＤに該当するドキュメントデータに承認マーク６３ｄを付与する。
したがって、電子ペーパーＥＰに表示保持されたドキュメントを閲覧したユーザは、マルチトレイ装置５１の承認用トレイに当該電子ペーパーＥＰを投入するだけで、ドキュメントデータに承認済みや閲覧済みといったマークを付与して整理することができ、箱や棚に文書を投入するといった行動を直感させる作法を行うことで、マルチトレイ装置５０に投入された電子ペーパーＥＰに係るドキュメントデータを整理することができる。
【００６３】
なお、承認したユーザを識別するために、複数のマルチトレイ装置５０を複数のユーザ毎に設けておき、各マルチトレイ装置５０はサーバ６０への信号線を違える或いは送信するドキュメントＩＤに自己の識別データを付加する等といった方法で、いずれのマルチトレイ装置５０によって読み取られたドキュメントＩＤであるかをドキュメントデータ管理手段６０ａが識別できるようにして、承認マーク６３ｄがいずれユーザによるものかを識別するようにしてもよい。或いは、電子ペーパーのメモリ６（１６）に電子ペーパーの使用者であるユーザＩＤを格納しておき、マルチトレイ装置５０の読み取り手段５３がこのユーザＩＤを取得してサーバ６０に送信するようにし、ドキュメントデータ管理手段６０ａが承認マーク６３ｄをいずれユーザによるものかを識別するようにしてもよい。
【００６４】
このように承認ユーザを識別した承認マークとすることで、ドキュメント出力管理手段６０ｂが承認マーク６３ｄに基づいて承認ユーザの名前やＩＤを含む承認印画像６３Ｄを生成し、ドキュメント画像とともに承認印６３Ｄを電子ペーパーの表示部２（１２）に表示保持させるようにしてもよい。
【００６５】
図１３には、上記のような電子ペーパーＥＰを用いた本発明に係るドキュメント処理システムの他の一例を示してある。
本例では、ドキュメントＩＤを識別情報として用いて、ドキュメントデータに基づいて他の表示記録媒体Ｐにドキュメント画像をプリントする処理を説明する。なお、図７に示した例と同様な部分については、同一符号を付して重複する説明は割愛する。また、マルチトレイ装置５０は、当該プリント処理に係るトレイ部分のみを図示して説明する。
【００６６】
本例のプリンタ装置６２は、ドキュメントデータに基づいて、紙媒体である用紙Ｐにドキュメント画像を印刷して表示保持させる公知の装置であり、電子ペーパーＥＰが表示保持するドキュメント画像に対応してサーバ６０からドキュメントデータが入力されると用紙にドキュメント画像を印刷して出力する。
なお、本発明では、プリンタ装置６２を電子ペーパーＥＰの表示部に光書き込み方式或いは自己書き込み方式によりドキュメント画像を書き込む（すなわち、プリントする）装置としてもよく、電子ペーパーＥＰが表示保持するドキュメント画像に対応してサーバ６０からドキュメントデータが入力されると他の電子ペーパーにドキュメント画像を書き込んで出力するようにしてもよい。
【００６７】
マルチトレイ装置５０はプリント用のトレイを有しており、ユーザがドキュメント画像を表示部に表示保持した電子ペーパーＥＰをプリント用トレイに投入すると、読み取り手段５３が当該電子ペーパーＥＰと無線通信してメモリ６（１６）に保持されているドキュメントＩＤを取得し、通信手段５４がトレイＩＤとともにサーバ６０へ出力する。
サーバ６０のドキュメントデータ管理手段６０ａは、マルチトレイ装置５０から入力されたトレイＩＤ及びドキュメントＩＤに基づいて、ドキュメントＤＢ６３に記憶された該当するドキュメントデータを検索して読み出す。また、サーバ６０は、当該読み出されたドキュメントデータをプリンタ装置５０に供給して用紙Ｐへのドキュメント画像をプリントさせるプリンタ制御手段６０ｃを有している。
【００６８】
上記構成のドキュメント処理システムによるプリント出力処理では、まず、ドキュメント画像を電子ペーパーＥＰの表示部２（１２）に表示保持させ、そのメモリ６（１６）に当該ドキュメント画像の元となるドキュメントデータのＩＤを記憶させておく。なお、電子ペーパーＥＰに表示保持させるドキュメント画像のドキュメントデータはドキュメントＤＢ６３にドキュメントＩＤで識別されて格納されている。
このような電子ペーパーＥＰへのドキュメント画像の書き込みとドキュメントＩＤの格納は図外の書き込み装置によって行うことができる。
【００６９】
光書き込み型の電子ペーパーＥＰの場合には、例えば、書き込み装置は、ドキュメントデータに基づくドキュメント画像を表示する液晶パネル４０と、電極４に書き込み電圧を印可する電圧印加手段と、光を照射する投影手段とを備えて、表示部２にドキュメント画像を投影して保持させるとともに、データを無線送信する無線手段を備えて、無線送信したドキュメントＩＤをメモリ６に記憶保持させる装置である。また、自己書き込み型の電子ペーパーＥＰの場合には、例えば、書き込み装置は、データを無線送信する無線手段を備えて、無線送信したドキュメントデータによりドライバ１４で表示部にドキュメント画像を表示保持させるとともに、無線送信したドキュメントＩＤをメモリ１６に記憶保持させる装置である。
【００７０】
上記の電子ペーパーＥＰに対して、そのドキュメント画像を閲覧したユーザが当該ドキュメントを更に複写する場合には、ユーザは当該電子ペーパーＥＰをマルチトレイ装置５のプリント用トレイに投入する。
これにより、投入された電子ペーパーＥＰからメモリ６（１６）に記憶されているドキュメントＩＤが読み取られて当該トレイＩＤと共にサーバ６０に入力される。
【００７１】
サーバ６０では、前記設定テーブルを参照して、入力されたトレイＩＤ及びドキュメントＩＤに基づいて、ドキュメントデータ管理手段６０ａがドキュメントＤＢ６３を検索し、当該ドキュメントＩＤに対応付けられているドキュメントデータをドキュメントＤＢ６３から読み出す。そして、プリンタ制御手段６０ｃが読み出されたドキュメントデータをプリンタ装置６２へ出力して印刷処理をさせ、プリンタ装置６２が用紙Ｐにドキュメント画像を印刷して排出する。
したがって、電子ペーパーＥＰの表示部２（１２）に表示されたドキュメント画像を閲覧して更に当該ドキュメントを複写しようとする場合には、ユーザはマルチトレイ装置のプリント用トレイに電子ペーパーＥＰを投入するといった簡単な作法を行うことで、当該ドキュメントを用紙Ｐ等の他の表示記録媒体にプリントして得ることができる。
【００７２】
上記の例では、電子ペーパーＥＰから取得したドキュメントＩＤに基づいて該当するドキュメントデータを検索したが、図９に示したように、電子ペーパーＥＰのメモリ６（１６）に当該電子ペーパーを識別するデバイスＩＤ（媒体ＩＤ）や当該電子ペーパーＥＰの使用者を識別するユーザＩＤを格納させておき、マルチトレイ装置５０に投入された電子ペーパーＥＰからデバイスＩＤ（媒体ＩＤ）或いはユーザＩＤをサーバ６０が取得して該当するドキュメントデータを検索するようにしてもよい。
【００７３】
図１４には、上記のような電子ペーパーＥＰを用いた本発明に係るドキュメント処理システムの他の一例を示してある。なお、図７や図１３に示した例と同様な部分については、同一符号を付して重複する説明は割愛する。また、マルチトレイ装置５０は、当該プリント処理に係るトレイ部分のみを図示して説明する。
本例は、図１３に示したシステムにおいて、ドキュメントデータを記憶するドキュメントＤＢ６３をネットワークＮ上のデータサーバにより構成したものであり、当該ドキュメントＤＢ６３に記憶されたドキュメントデータは、他のユーザによっても共有され或いはコンテンツ管理によって管理されて、随時内容が更新される。
【００７４】
本例でも、上記の例と同様にして、マルチトレイ装置５０のプリント用トレイに電子ペーパーＥＰが投入されると、当該電子ペーパーＥＰから読み取ったドキュメントＩＤ（本例では、ドキュメントデータのネットワーク上の所在場所を示すＵＲＬ）に対応するドキュメントデータにより用紙（或いは、他の電子ペーパー）Ｐにドキュメント画像がプリントされるが、電子ペーパーＥＰのマルチトレイ装置５０への投入の都度にドキュメントＩＤに基づいてドキュメントＤＢ６３からドキュメントデータを取得するため、同じドキュメントＩＤを保持したままでドキュメントＤＢ６３にドキュメントＵＲＬに対応付けて記憶されているドキュメントデータの内容が更新されている場合には、用紙Ｐにプリントされるドキュメント画像は更新後の内容のものとなる。
【００７５】
図１５には本例のより具体的な構成例を示すが、同図に示すように、表示対象となるドキュメントデータがドキュメントＤＢ６３で更新されていた場合には更新後のドキュメント画像Ｄ２がプリンタ装置６２からプリント出力される。
なお、プリンタ装置６２とマルチトレイ装置５０とが一体的に構成するようにしてもよい。
【００７６】
すなわち、元となる電子ペーパーＥＰに表示保持されていたドキュメント画像Ｄ１が２００４年１月２０日１８時（アクセス時間：２００４０１２０１８：００）にドキュメントＤＢ５３に記憶されていた棒グラフであった場合、当該電子ペーパーＥＰをマルチトレイ装置５１に投入して用紙Ｐへのプリントを行うと、当該投入時（すなわち、ドキュメントＤＢ５３からのデータ取得時）である２００４年１月２２日１９時（アクセス時間：２００４０１２２１９：００）にドキュメントＤＢ６３に記憶されているドキュメントの画像Ｄ２が用紙Ｐにプリントされて排出される。
したがって、内容の更新がなされるＷｅｂコンテンツ等のドキュメントを閲覧するような場合、本例のシステムによれば、ユーザは電子ペーパーＥＰをマルチトレイ装置５０に投入するという簡単な作法を行うことで、最新内容のドキュメントを用紙Ｐにプリントして閲覧することができる。
【００７７】
図１６には、上記のような電子ペーパーＥＰを用いた本発明に係るドキュメント処理システムの他の一例を示してある。なお、図１や図１３に示した例と同様な部分については、同一符号を付して重複する説明は割愛する。また、マルチトレイ装置５０は、当該プリント処理に係るトレイ部分のみを図示して説明する。
本例は、図１３に示したシステムにおいて、プリント処理するためのプリント条件をシステムに入力するための条件カードＣＡを電子ペーパーＥＰとともにマルチトレイ装置５０のプリント用トレイに投入して、当該プリント条件に従ったプリント処理をプリンタ装置６２に行わせるものである。なお、プリント条件としては、ドキュメント画像をプリントする用紙Ｐのサイズ指定、両面プリントするか片面プリントするかの指定、システムに複数備えられたプリンタ装置の内のどのプリンタ装置６２でプリント処理するかの指定等がある。
【００７８】
本例の条件カードＣＡは上記のように電子ペーパーと同様な構成及び機能を有したカード装置であり、プリント条件をユーザが目視確認できるように表示保持するとともに、プリント条件データを内部メモリに記憶して無線送信する機能を有している。
また、本例のマルチトレイ装置５０は、プリント用トレイとして、電子ペーパーＥＰを投入するトレイ５０ｅｐと条件カードＣＡを投入するトレイ５０ｃａとが備えられており、電子ペーパートレイ５０ｅｐには投入された電子ペーパーＥＰからドキュメントＩＤを読み取る読み取り手段５３が設けられ、条件カードトレイ５０ｃａには投入された条件カードＣＡからプリント条件データを読み取るカード読み取り手段５３ａが設けられている。
【００７９】
本例では、ユーザは電子ペーパーＥＰを電子ペーパートレイ５０ｅｐに投入するとともに条件カードＣＡを条件カードトレイ５０ｃａに投入する。これにより、電子ペーパーＥＰから無線通信により読み取られたドキュメントＩＤ及び当該トレイのＩＤに基づいて、サーバのプリント制御手段６０ｃに該当するドキュメントデータが入力されるとともに、カード読み取り手段５３ａと条件カードＣＡとの無線通信により読み取られたプリント条件データがサーバのプリンタ制御手段６０ｃに入力される。
これにより、プリンタ制御手段６０ｃは、プリント条件データに従ってプリンタ装置６２や用紙サイズの決定を行い、決定したプリンタ装置６２にドキュメントデータを出力して用紙Ｐへのドキュメント画像プリントを行わせる。
【００８０】
なお、上記の例では、条件カードＣＡを電子ペーパーと同様にメモリ機能とデータ通信機能とを有したものとしたが、条件カードＣＡをプリント条件を記述した紙媒体で構成し、カード読み取り手段５３ａ及びサーバ６０に公知の光学的読み取り及び文字認識機能を設けて、条件カードＣＡに記述からプリント条件データをプリント制御手段６０ｃに入力するようにしてもよい。
【００８１】
また、上記の例では、条件カード用と電子ペーパー用とで投入と例を分けたが、このようにトレイを分けることなく同じトレイに条件カードＣＡと電子ペーパーＥＰとを投入して同じ読み取り手段で読み取り処理を行うようにしてもよい。この場合には、例えば図５（ｂ）に示したように、トレイＩＤと共にプリント条件とドキュメントＩＤとをサーバ６０に送信するようにすればよい。
【００８２】
図１７には、上記のような電子ペーパーＥＰを用いた本発明に係るドキュメント処理システムの他の一例を示してある。なお、図１や図１３に示した例と同様な部分については、同一符号を付して重複する説明は割愛する。また、マルチトレイ装置５０は、当該電子メール送信処理に係るトレイ部分のみを図示して説明する。
本例は、マルチトレイ装置５０のメール送信用トレイに投入された電子ペーパーＥＰのドキュメントを電子メールによってネットワークＮ上の他の情報処理装置（宛先端末）６７へ送信出力するものであり、サーバ６０にはドキュメントデータを含む電子メールを生成して宛先アドレスの端末６７へ送信するメール通信手段６０ｄが設けられている。
【００８３】
本例では、電子メールの宛先アドレスをユーザがキーボード操作等をしてサーバ６０に直接入力することができる他、宛先アドレスを保持したアドレスカードＣＡを電子ペーパーＥＰとともにマルチトレイ装置５０のメール送信用トレイに投入して、電子メールを送信する端末６７を指定することができる。
なお、本例では、上記の例と同様に、アドレスカードＣＡを電子ペーパーと同様な構成及び機能を有したものとして、マルチトレイ装置のカード用トレイ５０ｃａに設けられたカード読み取り手段５３ａでアドレスカードＣＡからアドレスデータを取得してサーバ６０に入力するようにしているが、アドレスカードＣＡの表面に記述されたアドレスを光学的文字読み取り及び文字認識するようにしたり、或いは、カード用トレイ５０ｃａ及びカード読み取り手段５３ａを電子ペーパー用のトレイ５０ｅｐ及び読み取り手段５３と共用したりしてもよい。
【００８４】
本例では、ユーザは電子ペーパーＥＰを電子ペーパートレイ５０ｅｐに投入するとともにアドレスカードＣＡをカードトレイ５０ｃａに投入する。なお、電子ペーパートレイ５０ｅｐとカードトレイ５０ｃａは共にメール送信用トレイである。
これにより、電子ペーパーＥＰから無線通信により読み取られたドキュメントＩＤ及び通知されたトレイＩＤに基づいて、ドキュメント管理手段６０ａがドキュメントＤＢ６３から検索したドキュメントデータがメール通信手段６０ｄに入力されるとともに、カード読み取り手段５３ａとアドレスカードＣＡとの無線通信により読み取られたアドレスデータがメール通信手段６０ｄに入力される。
【００８５】
これにより、メール通信手段６０ｄは、入力されたドキュメントデータをメール文面或いはメールの添付ファイルとした電子メールを生成し、入力されたアドレス宛てに当該電子メールをネットワークＮへ送信する。なお、ユーザがサーバ６０へアドレスを直接入力した場合もメール通信手段６０ｄにより同様に当該アドレス宛てに電子メールが送信される。
したがって、電子ペーパＥＰによりドキュメントを閲覧したユーザが当該ドキュメントを所望の端末装置６７に送信しようとする場合、本例のシステムによれば、ユーザはアドレス指定をして電子ペーパーＥＰをマルチトレイ装置５０のメール送信用トレイに投入するという簡単な作法を行うことで、当該ドキュメントデータを所望の宛先端末６７へ電子メールにより送信出力することができる。
【００８６】
図１８には本例のより具体的な構成例を示すが、同図（ａ）に示すように電子ペーパーＥＰとアドレスカードＣＡがマルチトレイ装置５０に投入されたことにより、同図（ｂ）に示すように、アドレスカードＣＡから読み取られた２つのアドレス（Fujitaro…、Fujihanako…）宛てに、電子ペーパーＥＰが表示保持しているドキュメント画像に係るドキュメントデータを含む電子メールＥＭがそれぞれ生成されて送信される。
【００８７】
なお、図１８に示す例では、電子メールへ付加データを追加する入力手段として挨拶文カードＣＢも電子ペーパーＥＰ及びアドレスカードＣＡとともにメール送信用トレイに投入し、電子メールＥＭに当該挨拶文カードＣＢに記録されている挨拶文データを付加するようにしている。
このような挨拶文等の付加カードＣＢは、例えば上記と同様に、電子ペーパーと同様な構成及び機能を有したものとして、付加文データをＩＤで識別して予めドキュメントＤＢ等のメモリに用意しておき、付加カードＣＢから読み取ったＩＤに基づいて対応する付加文を電子メールＥＭに追加するようにしたり、或いは、付加カードＣＢのメモリに記憶された付加文データを読み取ってサーバに入力して付加文を電子メールＥＭに追加するようにしたり、或いは、付加カードＣＢに記述された付加文データを光学的に読み取ってサーバに入力して当該付加文を電子メールＥＭに追加するようにしたりしてもよい。
【００８８】
上記の実施例では、異なる種類のデータ処理が固定的に設定された物理的に複数のトレイを有するマルチトレイ装置５０を示したが、本発明では、例えば図１９に示すように、異なる種類のデータ処理が変更可能に設定されるトレイ５７を有するマルチトレイ装置５０であってもよい。
本例のマルチトレイ装置５０は、他のトレイに加えて、選択入力をユーザからの受け付けるボタン５８を備えたトレイ５７を有しており、ボタンを操作することによりユーザが選択した種類のデータ処理を当該トレイ５７に設定することができるようになっている。すなわち、本例のマルチトレイ装置５０は、選択入力により設定を変更することにより、複数種類のデータ処理が設定された実質的に複数のトレイを有しており、したがって、このような処理の設定を変更できるトレイ５７を１つだけ有したマルチトレイ装置として構成することも可能である。
【００８９】
図２０に示すように、本例のマルチトレイ装置５０は、トレイ５７に対して設定する処理の選択入力をユーザからの受け付ける入力手段としてのボタン５８と、当該選択入力により当該トレイに設定された処理の種類を通信手段５４によりサーバ６０に通知する処理変更手段５９とを有しており、トレイ５７に対して設定した処理の種類をサーバに認知させる。
したがって、マルチトレイ装置５０が、トレイ５７に投入された電子ペーパーＥＰに対して読み取り手段５３による読み取りを行い、当該読み取ったドキュメントＩＤ等をサーバに送信すると、サーバ６０が、当該ドキュメントＩＤ等で特定されるドキュメントデータに対して、当該トレイ５７に選択設定されている処理を施す。
【図面の簡単な説明】
【００９０】
【図１】本発明の一例に係るドキュメント処理システムの外観構成を示す図である。
【図２】本発明の一例に係るマルチトレイ装置の内部構成を示す図である。
【図３】本発明の一例に係るマルチトレイ装置の投入口部分を示す図である。
【図４】本発明の一例に係るトレイと処理との対応付けテーブルを説明する図である。
【図５】本発明の一例に係るマルチトレイ装置からサーバへの送信データを説明する図である。
【図６】本発明の一例に係るマルチトレイ装置の外観構成を示す図である。
【図７】本発明の一例に係るドキュメント処理システムを示す図である。
【図８】本発明の一例に係るプリンタ装置を示す図である。
【図９】本発明の一例に係るドキュメントデータの記憶構成を示す図である。
【図１０】本発明の他の一例に係るドキュメント処理システムを示す図である。
【図１１】本発明の他の一例に係るドキュメント処理システムを示す図である。
【図１２】本発明の一例に係る電子ペーパーの表示例を示す図である。
【図１３】本発明の他の一例に係るドキュメント処理システムを示す図である。
【図１４】本発明の他の一例に係るドキュメント処理システムを示す図である。
【図１５】本発明の一例に係るプリント処理を説明する図である。
【図１６】本発明の他の一例に係るドキュメント処理システムを示す図である。
【図１７】本発明の他の一例に係るドキュメント処理システムを示す図である。
【図１８】本発明の一例に係る電子メールを説明する図である。
【図１９】本発明の他の一例に係るマルチトレイ装置の外観構成を示す図である。
【図２０】本発明の他の一例に係るドキュメント処理システムを示す図である。
【図２１】光書き込み型電子ペーパーを示す図である。
【図２２】光書き込み型電子ペーパーの使用方法を説明する図である。
【図２３】光書き込み型電子ペーパーの動作原理を説明する図である。
【図２４】光書き込み型電子ペーパーの構造を説明する図である。
【図２５】自己書き込み型電子ペーパーを示す図である。
【図２６】自己書き込み換え型電子ペーパーの動作原理を説明する図である。
【図２７】自己書き込み型電子ペーパーの構造を説明する図である。
【図２８】電子ペーパーの他の例を示す図である。
【符号の説明】
【００９１】
ＥＰ：表示記録媒体（電子ペーパー）、  ２：表示部、
３：処理部、  ４：電極、
５：無線部、  ６：メモリ、
７：バッテリ、  １２：表示部、
１３：処理部、  １４：ドライバ、
１５：無線部、  １６：メモリ、
１７：バッテリ、  ５０：マルチトレイ装置、
５１ａ、５１ｂ、５１ｃ：投入口、  ５３：読み取り手段、
５３ａ：カード読み取り手段、  ５４：通信手段、
６０：サーバ、  ６０ａ：ドキュメントデータ管理手段、
６０ｂ：ドキュメント出力管理手段、  ６０ｃ：プリンタ制御手段、
６０ｄ：メール通信手段、  ６３：ドキュメントデータベース、
６７：宛先端末装置、  Ｐ：他の表示記録媒体（用紙）、
【図１】
2005327160.tif 000003
【図２】
2005327160.tif 000004
【図３】
2005327160.tif 000005
【図４】
2005327160.tif 000006
【図５】
2005327160.tif 000007
【図６】
2005327160.tif 000008
【図７】
2005327160.tif 000009
【図８】
2005327160.tif 000010
【図９】
2005327160.tif 000011
【図１０】
2005327160.tif 000012
【図１１】
2005327160.tif 000013
【図１２】
2005327160.tif 000014
【図１３】
2005327160.tif 000015
【図１４】
2005327160.tif 000016
【図１５】
2005327160.tif 000017
【図１６】
2005327160.tif 000018
【図１７】
2005327160.tif 000019
【図１８】
2005327160.tif 000020
【図１９】
2005327160.tif 000021
【図２０】
2005327160.tif 000022
【図２１】
2005327160.tif 000023
【図２２】
2005327160.tif 000024
【図２３】
2005327160.tif 000025
【図２４】
2005327160.tif 000026
【図２５】
2005327160.tif 000027
【図２６】
2005327160.tif 000028
【図２７】
2005327160.tif 000029
【図２８】
2005327160.tif 000030